(57)【要約】【課題】間接光ユニットで天井を照射したときの、天井における周方向の照度むらを抑制した照明器具を提供する。【解決手段】照明器具１は、４個の長尺状の間接光ユニット３０が平面視において正方形状に配置され、当該正方形の外側に向けて光を出射する。各間接光ユニット３０は、長尺状の実装基板３２と、実装基板３２を長手方向に三等分した場合の中央の領域３２ａ１に搭載された第１光源３３ａ１と、両側の領域３２ａ２、３２ａ３にそれぞれ搭載された第２光源３３ａ２とを備える。各第２光源３３ａ２から出射される光の光束は、第１光源３３ａ１から出射される光の光束よりも大きい。【選択図】図４
2015018650.tif 000002
【特許請求の範囲】
【請求項１】
複数の長尺状の間接光ユニットが平面視において多角形状に配置され、当該多角形の外側に向けて光を出射する照明器具であって、
前記各間接光ユニットは、長尺状の実装基板と、当該実装基板を長手方向に三等分した場合の中央の領域に搭載された第１光源と、当該実装基板を長手方向に三等分した場合の両側の領域にそれぞれ搭載された第２光源とを備え、
前記各第２光源から出射される光の光束が、前記第１光源から出射される光の光束よりも大きい、
ことを特徴とする照明器具。
【請求項２】
前記第１光源および各第２光源は、それぞれ複数の発光素子を含み、
前記各第２光源に含まれる発光素子の数は、前記第１光源に含まれる発光素子の数よりも多く、
前記各第２光源に含まれる隣り合う発光素子間の前記長手方向の配置ピッチは、前記第１光源に属する隣り合う発光素子間の前記長手方向の配置ピッチよりも小さい、
ことを特徴とする請求項１に記載の照明器具。
【請求項３】
前記各第２光源に流れる電流の大きさが、前記第１光源に流れる電流の大きさよりも大きくなるように、前記第１光源および各第２光源に電流を供給する点灯回路をさらに備える、
ことを特徴とする請求項１に記載の照明器具。
【請求項４】
前記各間接光ユニットは、前記実装基板における前記光源の搭載面の裏面に固定された放熱板をさらに含み、
前記両側の領域の一方と前記放熱板との固定箇所は、前記中央の領域と前記放熱板との固定箇所よりも多く、
前記両側の領域の他方と前記放熱板との固定箇所は、前記中央の領域と前記放熱板との固定箇所よりも多い、
ことを特徴とする請求項１に記載の照明器具。
【請求項５】
前記各間接光ユニットは、前記実装基板を覆うようなドーム状に形成された透光性カバーをさらに含み、
前記透光性カバーは、端縁に延出部を有し、
前記実装基板と前記放熱板との固定は、前記実装基板を前記放熱板と前記拡散カバーの延出部とで挟むことによりなされている、
ことを特徴とする請求項４に記載の照明器具。
【請求項６】
照明器具を造営材に取り付けるための取り付け部をさらに備え、
前記実装基板は、当該実装基板を延長した平面が前記造営材と交差するように配置され、
前記第１光源および各第２光源は、それぞれ複数の発光素子を含み、
前記各間接光ユニットにおいて、前記各第２光源に含まれる全部の発光素子の輝度重心は、前記第１光源に含まれる全部の発光素子の輝度重心よりも前記造営材側に位置する、
ことを特徴とする請求項１に記載の照明器具。
【請求項７】
長尺状の実装基板と、当該実装基板を長手方向に三等分した場合の中央の領域に搭載された第１光源と、当該実装基板を長手方向に三等分した場合の両側の領域にそれぞれ搭載された第２光源とを備え、
前記各第２光源から出射される光の光束が、前記第１光源から出射される光の光束よりも大きい、
ことを特徴とする間接光ユニット。
【発明の詳細な説明】
【技術分野】
【０００１】
本発明は、間接光ユニットを備えた照明器具、特にシーリングライト等の照明器具に関する。
【背景技術】
【０００２】
近年、ＬＥＤ（Ｌｉｇｈｔ  Ｅｍｉｔｔｉｎｇ  Ｄｉｏｄｅ）等の発光素子を光源とする光源ユニットを利用した照明器具が普及しつつある。一方、建築物用照明器具として、シーリングライト等の照明器具が一般に用いられている。
ところで、シーリングライトが室内において天井に取り付けて用いられる場合、シーリングライトの下方や室内の壁が明るくても、天井が暗いと一般にユーザが室内全体を暗く感じる傾向がある。これに対し、天井を照射するように複数の間接光ユニットを備えたシーリングライトが提案されている（特許文献１）。図１４の上面図に示すように、シーリングライト９０１には、４個の間接光ユニット９３０が設けられている。各間接光ユニット９３０は長尺状に形成されている。４個の間接光ユニット９３０は、天井をシーリングライトの中心から周方向に照射するため、四角形状に配置されている。また、間接光ユニット９３０は、光の出射方向を当該四角形の外側に向けている。
【先行技術文献】
【特許文献】
【０００３】
【特許文献１】２０１３−３０４２５号公報
【発明の概要】
【発明が解決しようとする課題】
【０００４】
ところで、上記従来の照明装置を天井に取り付けて用いる場合、天井において、照明器具の中心から周方向に照度むらが生じることがある。これは、複数の間接光ユニットを多角形状に配置した場合、当該多角形の辺の部分には間接光ユニットが配置されるが、当該多角形の角の部分には間接光ユニットが配置されないためである。そして、天井における当該多角形の辺の前方の部分は明るく、天井における当該多角形の角の前方の部分は暗くなる。
【０００５】
本発明は、上記した課題に鑑み、間接光ユニットで天井を照射したときの、天井における周方向の照度むらを抑制した照明器具を提供することを目的とする。
【課題を解決するための手段】
【０００６】
上記目的を達成するために、本発明の一態様に係る照明器具は、複数の長尺状の間接光ユニットが平面視において多角形状に配置され、当該多角形の外側に向けて光を出射する照明器具であって、前記各間接光ユニットは、長尺状の実装基板と、当該実装基板を長手方向に三等分した場合の中央の領域に搭載された第１光源と、当該実装基板を長手方向に三等分した場合の両側の領域にそれぞれ搭載された第２光源とを備え、前記各第２光源から出射される光の光束が、前記第１光源から出射される光の光束よりも大きい、ことを特徴とする。
【０００７】
また、上記照明器具は、前記第１光源および各第２光源は、それぞれ複数の発光素子を含み、前記各第２光源に含まれる発光素子の数は、前記第１光源に含まれる発光素子の数よりも多く、前記各第２光源に含まれる隣り合う発光素子間の前記長手方向の配置ピッチは、前記第１光源に属する隣り合う発光素子間の前記長手方向の配置ピッチよりも小さくてもよい。
【０００８】
また、上記照明器具は、前記各第２光源に流れる電流の大きさが、前記第１光源に流れる電流の大きさよりも大きくなるように、前記第１光源および各第２光源に電流を供給する点灯回路をさらに備えてもよい。
また、上記照明器具は、前記各間接光ユニットは、前記実装基板における前記光源の搭載面の裏面に固定された放熱板をさらに含み、前記両側の領域の一方と前記放熱板との固定箇所は、前記中央の領域と前記放熱板との固定箇所よりも多く、前記両側の領域の他方と前記放熱板との固定箇所は、前記中央の領域と前記放熱板との固定箇所よりも多くてもよい。
【０００９】
さらに、上記照明器具は、前記各間接光ユニットは、前記実装基板を覆うようなドーム状に形成された透光性カバーをさらに含み、前記透光性カバーは、端縁に延出部を有し、前記実装基板と前記放熱板との固定は、前記実装基板を前記放熱板と前記拡散カバーの延出部とで挟むことによりなされていてもよい。
また、上記照明器具は、照明器具を造営材に取り付けるための取り付け部をさらに備え、前記実装基板は、当該実装基板を延長した平面が前記造営材と交差するように配置され、前記第１光源および各第２光源は、それぞれ複数の発光素子を含み、前記各間接光ユニットにおいて、前記各第２光源に含まれる全部の発光素子の輝度重心は、前記第１光源に含まれる全部の発光素子の輝度重心よりも前記造営材側に位置してもよい。
【００１０】
上記目的を達成するために、本発明の一態様に係る間接光ユニットは、長尺状の実装基板と、当該実装基板を長手方向に三等分した場合の中央の領域に搭載された第１光源と、当該実装基板を長手方向に三等分した場合の両側の領域にそれぞれ搭載された第２光源とを備え、前記各第２光源から出射される光の光束が、前記第１光源から出射される光の光束よりも大きい、ことを特徴とする。
【発明の効果】
【００１１】
上記発明の一態様に係る照明器具では、両側の領域にそれぞれ搭載された各第２光源から出射される光の光束が、中央の領域に搭載された第１光源から出射される光の光束よりも大きい。第１光源および第２光源から出射される光の光束の上記大小関係により、天井における間接光ユニットが配置されてなる多角形の角の前方の部分の平均的な照度が、第２光源から出射される光の光束と第１光源から出射される光の光束が等しい場合の当該照度よりも大きくなる。一方、第１光源および第２光源から出射される光の光束の上記大小関係により、当該多角形の辺の前方の部分の平均的な照度は、第２光源から出射される光束と第１光源から出射される光の光束が等しい場合の照度よりも小さくなる。その結果、当該多角形の辺の前方の部分の平均的な照度と、当該多角形の角の前方の部分の平均的な照度との差が小さくなる。従って、間接光ユニットで天井を照射したときの、天井における周方向の照度むらを抑制した照明器具を提供できる。
【図面の簡単な説明】
【００１２】
【図１】実施の形態１に係る照明器具を表側から見た分解斜視図である。
【図２】図１に示した照明器具を裏側から見た分解斜視図である。
【図３】図１に示した照明器具の断面図である。
【図４】図１に示した照明器具における間接光ユニットの分解斜視図である。
【図５】（ａ）は図１に示した照明器具における間接光ユニットの外観上面図であり、（ｂ）は（ａ）のＡ−Ａ断面図である。
【図６】実施例１および比較例１の照明器具から周方向の天井における照度分布図である。
【図７】（ａ）図６を説明するための照明器具の模式上面図であり、（ｂ）は実施例１および比較例１の照明器具からの光の出射を示す模式上面図である。
【図８】実施の形態２に係る照明器具における間接光ユニットの分解斜視図である。
【図９】図８に示した照明器具の回路図である。
【図１０】実施の形態３に係る照明器具における発光モジュールの正面図である。
【図１１】（ａ）は実施の形態３に係る照明器具からの光の出射を示す、第２光源の輝度重心を含む模式断面図であり、（ｂ）は実施の形態３に係る照明器具からの光の出射を示す、第１光源の輝度重心を含む模式断面図である。
【図１２】変形例に係る照明器具における発光モジュールの正面図である。
【図１３】変形例に係る照明器具の模式上面図であり、（ａ）は間接光ユニットが３個である場合を示し、（ｂ）は間接光ユニットが５個である場合を示す。
【図１４】従来の照明器具の上面図である。
【００１３】
＜＜実施の形態１＞＞
本発明の一態様に係る照明器具について、表側から見た図１、裏側から見た図２を用いて説明する。以下、発光素子としてＬＥＤを利用する形態について説明する
１．全体構成
図１に示すように、照明器具１は、基台５と、点灯回路カバー７と、主光源ユニット１０と、センター光源ユニット２０と、間接光ユニット３０と、点灯回路４０と、カバー５０と、カバー６０と、を備える。照明器具１は、天井に取り付けられて用いられるシーリングライトである。
【００１４】
２．各部構成
（基台）
基台５は、中央に貫通孔５ａが設けられた円板状であり、円環状の平板部５ｂと、平板部５ｂの内側に延出され一段もり上がった円環状の中央部５ｃと、平板部５ｂの外側に延出され一段下がった円環状の外周部５ｄと、を有する。基台５の表面には主光源ユニット１０が配されている。基台５の裏面には、点灯回路４０および点灯回路カバー７が配されている。基台５の外周部５ｄには、カバー５０が固定される。カバー５０の基台５への固定は、受け具５１に挟持されることでなされる。基台５を構成する材料は、例えば、鉄合金や、アルミニウムのような熱伝導性材料である。
（点灯回路カバー）
点灯回路カバー７は、扁平な角筒状（筒側面を７ａで示す）であり、角筒端部が外方に延出されて、延出端の輪郭を円形状に仕上げられている。以下、この延出端の内部を平坦部７ｂといい、延出端の輪郭部をフランジ部７ｃという。角筒上端は、貫通孔７ｄが設けられた天板７ｅで覆われている。点灯回路カバー７の天板７ｅには、図２に示すように、４つのパッキン６１が等間隔に設けられている。パッキン６１は、カバー６０等と天井とが直接接触することを防止する。パッキン６１を構成する材料は、例えば、透光性を有するシリコーン樹脂である。図１に戻って、点灯回路カバー７は、基台５の外周部５ｄと点灯回路カバー７のフランジ部７ｃとに設けられた螺子穴を通じて螺子止めされ、基台５に固定されている。基台５と点灯回路カバー７とで囲まれた空間には、点灯回路４０が収納される。点灯回路カバー７を構成する材料は、基台５と同じでもよいし、異なっていてもよい。
（主光源ユニット）
主光源ユニット１０は、主発光モジュール１２と、その表面に設けられた主光源レンズ１１とで構成される。主発光モジュール１２は、サブユニット１３を４つ並べて構成される。各サブユニット１３は、１／４円弧状の実装基板１３ａと、実装基板１３ａの表面に配置された複数のＬＥＤ１３ｂと、を含む。１／４円弧状の実装基板１３ａを４つ並べて構成されるため、主光源ユニット１０の形状は、全体として円環状である。各ＬＥＤ１３ｂの発光色は、例えば、白色である。主光源レンズ１１は、主発光モジュール１２からの出射光を拡散するレンズである。主光源レンズ１１の形状は、ＬＥＤ１３ｂの上方に位置する部分が凸となる円環状である。主光源レンズ１１を構成する材料は、例えば、アクリル樹脂、ポリカーボネート樹脂、ガラス等の透光性材料である。主発光モジュール１２は、主光源レンズ１１および基台５に挟まれ、主光源レンズ１１の内外周に設けられた螺子穴を通じて螺子止めされ、主光源レンズ１１および基台５に固定されている。
【００１５】
主光源ユニット１０は、基台５の平板部５ｂの表側に配置される。これにより、図３に示すように、主光源ユニット１０の主出射方向は、基台５に垂直な方向となる。
（センター光源ユニット）
図１に戻って、センター光源ユニット２０は、センター発光モジュール２２と、その表面に設けられたセンターレンズ２１とで構成される。センター発光モジュール２２は、円環状の実装基板２２ａと、円周状に配置された複数のＬＥＤ２２ｂと、を含む。各ＬＥＤ２２ｂの発光色は、例えば、白色である。センターレンズ２１は、センター発光モジュール２２からの出射光を拡散するレンズである。センターレンズ２１の形状は、主光源レンズ１１の形状と同様に、ＬＥＤ２２ｂの上方に位置する部分が凸となる円環状である。センターレンズ２１を構成する材料は、例えば、アクリル樹脂、ポリカーボネート樹脂、ガラス等の透光性材料である。
【００１６】
センター光源ユニット２０は、基台５の中央部５ｃの表側に配置される。これにより、図３に示すように、センター光源ユニット２０の主出射方向は、基台５に垂直な方向となる。
（間接光ユニット）
図２に示すように、間接光ユニット３０は、長尺状に形成されている。４つの間接光ユニット３０は、天井を照明器具１の中心から周方向の概ね全域に照射するために、点灯回路カバー７の筒側面７ａを囲むように正方形状に配置されている。各間接光ユニット３０の光の出射方向は、当該正方形の外側を向いている。
【００１７】
図４に示すように、間接光ユニット３０は、放熱板３１と、発光モジュール３０ａと、拡散カバー３５と、を含む。
発光モジュール３０ａは、実装基板３２と、光源３３ａと、２つのコネクタ３４とを含む。実装基板３２の形状は、長方形状である。実装基板３２を長手方向に三等分すると、中央の領域３２ａ１と、両側の領域３２ａ２、３２ａ３と、に分けられる。中央の領域３２ａ１には、第１光源３３ａ１が配置されている。また、各両側の領域３２ａ２、３２ａ３には、それぞれ第２光源３３ａ２が配置されている。第１光源３３ａ１は、３個のＬＥＤ３３が１本の直線状に配置されてなる。各第２光源３３ａ２は、それぞれ６個のＬＥＤ３３が１本の直線状に配置されてなる。このように、各第２光源３３ａ２に含まれるＬＥＤ３３の数は、第１光源３３ａ１に含まれるＬＥＤ３３の数よりも多い。その結果、各両側の領域３２ａ２、３２ａ３における隣り合うＬＥＤ３３間の長手方向の配置ピッチｐ２は、中央の領域３２ａ１における隣り合うＬＥＤ３３間の長手方向の配置ピッチｐ１よりも小さくなる。
【００１８】
ＬＥＤ３３は、例えば、ＬＥＤチップと樹脂材料で構成された封止部材とで構成される。また、ＬＥＤチップの実装は、例えば、ＳＭＤ（Ｓｕｒｆａｃｅ  Ｍｏｕｎｔ  Ｄｅｖｉｃｅ）で行われる。ＬＥＤ３３は、例えば、白色ＬＥＤである。コネクタ３４は、点灯回路４０から引き出された配線（不図示）から電力の供給を受け、実装基板３２に形成された配線パターンへ供給する。第１光源３３ａ１および第２光源３３ａ２を構成する１５個のＬＥＤ３３は、電気的に直列に接続される。直列接続されたＬＥＤ３３からは端子が引き出され、当該端子は配線パターンに接続される。
【００１９】
放熱板３１は、実装基板３２における光源３３ａの搭載面の裏面に設けられる。放熱板３１は、実装基板３２を搭載する実装部３１ａと、実装部３１ａから延びた固定部３１ｂとを有する。実装部３１ａは、固定部３１ｂに直交するように設けられている。
拡散カバー３５は、実装基板３２を覆うようなドーム状に形成されている。また、拡散カバー３５は、ＬＥＤ３３から出射した光を拡げるレンズ形状を有している。拡散カバーを構成する材料は、例えば、シリコーン樹脂、アクリル樹脂、ポリカーボネート樹脂、ガラス等の透光性材料である。
【００２０】
次に、間接光ユニット３０の配置について、詳しく説明する。間接光ユニット３０が設けられた点灯回路カバー７は、基台５の裏側に図２に示すＺ軸方向で重なるように配置される。これにより、各間接光ユニット３０の主出射方向は、４個の間接光ユニット３０で構成される正方形の外側となる。より具体的には、図３に示すように、間接光ユニット３０は、放熱板３１の固定部３１ｂに設けられた螺子穴を通じて点灯回路カバー７の平坦部７ｂに螺子止めされ、点灯回路カバー７へ固定される。これにより、実装基板３２は、基台５に立設した状態となる。
【００２１】
以下、間接光ユニット３０の組み立てについて説明する。間接光ユニット３０を組み立てるためには、まず、放熱板３１の実装部３１ａに実装基板３２を接着剤により貼り付ける。そして、実装基板３２を貼り付けた放熱板３１と、拡散カバー３５とを、螺子止めして固定すればよい。さらに、放熱板３１と実装基板３２との固定について詳しく説明する。図５（ａ）は、間接光ユニット３０を示す上面図である。図５（ｂ）は、図５（ａ）のＡ−Ａ断面図である。拡散カバー３５は、端縁に延出部３５ａを有する。実装基板３２と放熱板３１との固定は、実装基板３２の固定箇所３２ｂを放熱板３１と拡散カバー３５の延出部３５ａとで挟むことによりなされている。図５（ａ）において、点線で描かれている長方形は、実装基板３２の周縁である。実装基板３２の周縁付近の塗りつぶし部分は、実装基板３２と放熱板３１との固定箇所３２ｂである。両側の領域３２ａ２、３２ａ３と放熱板３１との固定箇所３２ｂの数はそれぞれ４個であり、中央の領域３２ａ１と放熱板３１との固定箇所３２ｂの数２個よりも多い。これにより、両側の領域３２ａ２、３２ａ３は、中央の領域３２ａ１よりも放熱板３１と密着する。その結果、両側の領域３２ａ２、３２ａ３において、放熱板３１を介した放熱性を向上できる。なお、実装基板３２の周縁全体と放熱板３１とを固定しないことにより、実装基板３２と放熱板３１と拡散カバー３５とを熱膨張係数の異なる材料で構成したとしても、例えば、照明器具１の駆動時から停止時に、実装基板３２と放熱板３１と拡散カバー３５とから異音が発生することを抑制できる。これにより、実装基板３２と放熱板３１との固定を、螺子等の別部材を用いることなく実現できるので、材料コストを抑制できる。
（点灯回路）
図１に戻って、点灯回路４０は、絶縁板４１の表面に設けられた制御ブロック４２および電源ブロック４３等と、を備える。制御ブロック４２のケース内には、制御基板が収納される。制御基板と電源ブロック４３とは、テープ電線４２ａにより接続されている。制御ブロック４２は、例えば、ユーザが操作できるリモートコントローラーから出力される点灯信号および非点灯信号を受信し、電源ブロック４３に制御信号を出力する。電源ブロック４３は、基板と基板上に実装された各種の電子部品とから構成される。電源ブロック４３に含まれる回路は、供給された交流電流を所望の直流電流に変換する。さらに、電源ブロック４３は、出力された制御信号に基づき、直流電流を主光源ユニット１０、センター光源ユニット２０、間接光ユニット３０に供給する。これにより、主光源ユニット１０、センター光源ユニット２０、間接光ユニット３０を点灯することができる。なお、電源ブロック４３から引き出された電源線４２ｂは、点灯回路カバー７の貫通孔７ｄおよびカバー６０の貫通孔６０ａを介し、給電用コンセントに接続される。
（カバー）
カバー５０は、基台５を覆うようなドーム状に形成されている。カバー５０を構成する材料は、例えば、シリコーン樹脂、アクリル樹脂、ポリカーボネート樹脂、ガラス等の透光性材料である。カバー５０の内面には、主光源ユニット１０およびセンター光源ユニット２０からの出射光を拡散させる拡散処理、例えば、シリカや白色顔料等による拡散処理が施されている。
【００２２】
カバー６０は、中央に貫通孔６０ａが設けられ、且つ、間接光ユニット３０を覆うように形成されている。また、カバー６０は、照明器具１を天井に取り付けるための取り付け部としての機能を有する。カバー６０を構成する材料は、例えば、アクリル樹脂、ポリカーボネート樹脂、ガラス等の透光性材料である。
３．効果
図６は実施例１および比較例１の照明器具から周方向の天井における照度分布図である。比較例１の照明器具において、両側の領域３２ａ２、３２ａ３、中央の領域３２ａ１にはそれぞれ５個のＬＥＤ３３が搭載されている。両側の領域３２ａ２、３２ａ３における隣り合うＬＥＤ間の長手方向の配置ピッチは、中央の領域３２ａ１における隣り合うＬＥＤ間の長手方向の配置ピッチと等しい。一方、実施例１の照明器具において、各両側の領域３２ａ２、３２ａ３にはそれぞれ６個のＬＥＤ３３が搭載され、中央の領域３２ａ１には３個のＬＥＤ３３が搭載されている。実施例１の照明器具において、両側の領域３２ａ２、３２ａ３における隣り合うＬＥＤ間の長手方向の配置ピッチは、中央の領域３２ａ１における隣り合うＬＥＤ間の長手方向の配置ピッチよりも小さい。図７は、図６を説明するための照明器具の模式上面図である。実施例１および比較例１の照明器具では、４つの間接光ユニットが四角形状に配置されており、間接光ユニットにおけるＬＥＤの配置以外の構成は等しい。図７（ａ）に示すように、四角形の角と基台５の中心とを結ぶ線上の点Ｐ０から、基台５の中心Ｏを固定して半径rで一方向に角度θすすんだ点Ｐ１を考える。破線で示す円周Ｐは、点Ｐ１の軌道を示す。θとＰ１における照度Ｉとの関係を示すグラフが図６である。図７（ｂ）に示す領域α１、α２は、図６に示すα１、α２に対応する。点線が比較例１を示し、実線が実施例１を示す。
【００２３】
比較例１において、θが０°、９０°、１８０°に近いほど、照度Ｉが小さくなる。θが４５°、１３５°に近いほど、照度Ｉは大きくなる。一方、実施例１においても、θが０°、９０°、１８０°に近いほど、照度Ｉが小さくなり、θが４５°、１３５°に近いほど、照度Ｉは大きくなる。しかしながら、実施例１におけるθが０°、９０°、１８０°に近いときの照度Ｉは、比較例１における当該照度Ｉよりも大きい。また、実施例１におけるθが４５°、１３５°に近いときの照度Ｉは、比較例１における当該照度Ｉよりも小さい。なお、１８０°≦θ≦３６０°の場合の照度Ｉは、０°≦θ≦１８０°の場合の照度Ｉと同様に増減する。
【００２４】
実施例１における両側の領域３２ａ２、３２ａ３に搭載されたＬＥＤ３３の数は、比較例１における両側の領域３２ａ２、３２ａ３に搭載されたＬＥＤの数よりも多い。そのため、実施例１における領域α１の平均照度Ｉ１は、比較例１におけるθが領域α１の平均照度Ｉ２よりも大きい。一方、実施例１における中央の領域３２ａ１に搭載されたＬＥＤ３３の数は、比較例１における中央の領域３２ａ１に搭載されたＬＥＤの数よりも少ない。そのため、実施例１における領域α２の平均照度Ｉ３は、比較例１におけるθが領域α２の平均照度Ｉ４よりも小さい。
４．まとめ
照明器具１は、４個の長尺状の間接光ユニット３０が平面視において正方形状に配置され、当該正方形の外側に向けて光を出射する。各間接光ユニット３０は、長尺状の実装基板３２と、実装基板３２を長手方向に三等分した場合の中央の領域３２ａ１に搭載された第１光源３３ａ１と、両側の領域３２ａ２、３２ａ３にそれぞれ搭載された第２光源３３ａ２とを備える。各第２光源３３ａ２から出射される光の光束は、第１光源３３ａ１から出射される光の光束よりも大きい。この構成では、天井における四角形の角の前方の部分の平均照度Ｉ１が大きくなり、天井における四角形の辺の前方の部分の平均照度Ｉ３が小さくなる。その結果、間接光ユニットで天井を照射したときの、天井における周方向の照度むらを抑制した照明器具を提供できる。
【００２５】
５．その他
なお、実施の形態１では、両側の領域にＬＥＤがそれぞれ６個搭載され、中央の領域にＬＥＤが３個搭載されていた。しかしながら、これに限らず、両側の領域にそれぞれ搭載されるＬＥＤの数が、中央の領域に搭載されるＬＥＤの数よりも多ければよい。例えば、両側の領域にＬＥＤがそれぞれ４個搭載され、中央の領域にＬＥＤが２個搭載されていてもよい。
【００２６】
また、実施の形態１では、第１光源の隣り合う長手方向の配置ピッチは均一であり、第２光源の隣り合う長手方向の配置ピッチも均一であった。しかしながら、これに限らず、第１光源の隣り合う長手方向の配置ピッチがばらついていたり、第２光源の隣り合う長手方向の配置ピッチがばらついていたりしてもよい。
実施の形態１では、両側の領域に搭載されるＬＥＤの個数を、中央の領域に搭載されるＬＥＤの個数よりも多くすることで、間接光ユニットで天井を照射したときの、天井における周方向の照度むらを抑制した。しかしながら、これに限らず、両側の領域に搭載された第２光源から出射される光の光束が、中央の領域に搭載された第１光源から出射される光の光束よりも大きければ、間接光ユニットで天井を照射したときの、天井における周方向の照度むらを抑制できる。以下、これの具体例について実施の形態２、実施の形態３として説明する。
【００２７】
＜＜実施の形態２＞＞
図８は、実施の形態２に係る間接光ユニットの分解斜視図である。図９は、当該間接光ユニットの回路図を示す。なお、実施の形態２については、実施の形態１との相違点についてのみ説明し、共通する構成については同じ符号を使って説明を省略する。同図に示す間接光ユニットは、実施の形態１の間接光ユニットに対し、ＬＥＤの配置およびＬＥＤへの給電方法のみが異なる。
【００２８】
第１光源１３３ａ１の隣り合うＬＥＤ３３間の長手方向の配置ピッチｐ１は、第２光源１３３ａ２の隣り合うＬＥＤ３３間の長手方向の配置ピッチｐ２と等しい。一方、各第２光源１３３ａ２に流れる電流の大きさは、第１光源１３３ａ１に流れる電流の大きさよりも大きくなるように、点灯回路４０が第１光源１３３ａ１および第２光源１３３ａ２に電流を供給する。具体的には、図９に示すように、第１光源１３３ａ１のＬＥＤ３３は電気的に直列に接続され、第２光源１３３ａ２のＬＥＤ３３は電気的に直列に接続される。そして、第１光源１３３ａ１および第２光源１３３ａ２は、互いに別個独立した回路となっている。これにより、第１光源１３３ａ１および第２光源１３３ａ２に大きさの異なる電流を供給することができる。
【００２９】
この構成では、各両側の領域に搭載された第２光源１３３ａ２から出射される光の光束を、中央の領域に搭載された第１光源１３３ａ１から出射される光の光束よりも大きくすることができる。これにより、間接光ユニットで天井を照射したときの、天井における周方向の照度むらを抑制した照明器具を提供できる。
＜＜実施の形態３＞＞
図１０は、実施の形態３に係る発光モジュールの正面図である。なお、実施の形態３については、実施の形態１との相違点についてのみ説明し、共通する構成については同じ符号を使って説明を省略する。同図に示す間接光ユニットは、実施の形態１の間接光ユニットに対し、ＬＥＤの配置のみが異なる。
【００３０】
発光モジュール２３０ａにおいて、実装基板３２の両側の領域３２ａ２、３２ａ３における隣り合うＬＥＤ３３間の長手方向のピッチは、実装基板３２の中央の領域３２ａ１における隣り合うＬＥＤ３３間の長手方向のピッチよりも小さい。また、各第１光源２３３ａ１の輝度重心２３３ａ１ｇは、第２光源２３３ａ２の輝度重心２３３ａ２ｇよりも天井側に位置する。なお、ここでいう「輝度重心」とは、各光源に含まれるＬＥＤの供給電流あたりの輝度が等しい場合、各ＬＥＤの位置の平均の位置をいう。供給電流あたりの輝度が異なる場合、「輝度重心」は、各ＬＥＤの位置を供給電流あたりの輝度で重み付けした値の平均値をいう。例えば、２つのＬＥＤ３３α、３３βの位置が、（Ｘ，Ｙ）＝（５，５）、（１１，８）であり、供給電流あたりの輝度がＬＥＤ３３αではＬＥＤ３３βの２倍であるときを考える。この場合の輝度重心は、（Ｘ，Ｙ）＝（（５×２）＋１１／３，（５×２）＋８／３）＝（７，６）となる。
【００３１】
図１１は、この構成の効果を示す照明器具の模式断面図である。図１１（ａ）は第２光源の輝度重心を含む模式断面図を示し、図１１（ｂ）は第１光源の輝度重心を含む模式断面図を示す。また、両図は、第１光源２３３ａ１の輝度重心２３３ａ１ｇおよび第２光源２３３ａ２の輝度重心２３３ａ２ｇから光が出射するとみなした模式断面図である。輝度重心２３３ａ１ｇ、輝度重心２３３ａ２ｇから天井面７０および基台５に引かれた直線Ｌ１、Ｌ２は、輝度重心２３３ａ１ｇ、輝度重心２３３ａ２ｇからの主出射方向の光Ｌ０に対する輝度が１０％となる光線を示す。
【００３２】
照明器具２０１は、天井面７０に取り付けられている。天井面７０から実装基板３２の上端面までの距離は、輝度重心２３３ａ１ｇを含む断面においても輝度重心２３３ａ２ｇを含む断面においてもＨ０で共通である。一方、実装基板３２の上端面から第２光源２３３ａ２の輝度重心２３３ａ２ｇまでの距離Ｈ２は、実装基板３２の上端面から第１光源２３３ａ１の輝度重心２３３ａ１ｇまでの距離Ｈ１よりも小さい。
【００３３】
Ｌ０とＬ１とからなる角度θ２は、Ｌ０とＬ２とからなる角度θ３と等しい。ｌ１、ｌ２は、第１光源２３３ａ１の輝度重心２３３ａ１ｇおよび第１光源３３ａ１の輝度重心２３３ａ２ｇからの照度が光Ｌ０に対する照度の１０％となる領域（この領域を以下「暗い領域」と呼ぶ）を示す。第２光源２３３ａ２の輝度重心２３３ａ２ｇによる暗い領域ｌ２は、第１光源２３３ａ１の輝度重心２３３ａ１ｇによる暗い領域ｌ１よりも小さい。すなわち、照明器具２０１を中心として天井面７０を周方向に見ると、第２光源２３３ａ２から光Ｌ０に対する照度の１０％以上で照射されている部分が、第１光源２３３ａ１から光Ｌ０に対する照度の１０％以上で照射されている部分よりも広い。そのため、ユーザには、第２光源２３３ａ２に照射されている部分が第１光源２３３ａ１に照射されている部分よりも明るく見える。
【００３４】
なお、照明器具２０１において、実装基板３２を延長した面は天井面７１と直交している。しかしながら、これに限らず、実装基板３２を延長した面は天井面７１と交差していればよい。
従って、間接光ユニットで天井を照射したときの、天井における周方向の照度むらをさらに抑制した照明器具を提供できる。
【００３５】
＜＜変形例＞＞
以下、本発明に係る照明器具の変形例について、図１２を用いて説明する。変形例については、両者の相違点についてのみ説明し、共通する構成については同じ符号を使って説明を省略する。
１．ＬＥＤの配置
図１２は、変形例に係る発光モジュールの正面図である。なお、ここでは、実施の形態１との相違点についてのみ説明し、共通する構成については同じ符号を使って説明を省略する。同図に示す発光モジュールは、実施の形態１の発光モジュールに対し、ＬＥＤの配置のみが異なる。
【００３６】
第１光源３３３ａ１および各第２光源３３３ａ２において、隣り合うＬＥＤ３３間の長手方向のピッチｐ１、ｐ２は等しい。また、各第２光源３３３ａ２の輝度重心３３３ａ２は、第１光源３３３ａ１の輝度重心３３３ａ１ｇよりも天井側に位置する。
この構成であっても、間接光ユニットで天井を照射したときの、天井における周方向の照度むらを抑制した照明器具を提供できる。
【００３７】
２．間接光ユニットの個数
上記実施の形態等では、照明装置は４個の間接光ユニット３０を備えた。しかしながら、これに限らず、照明器具が備える間接光ユニット３０の個数は複数であればよい。
例えば、図１３（ａ）の模式上面図に示すように、照明器具が３個の間接光ユニット３０を備えてもよい。３個の間接光ユニット３０は、正三角形状に配置すればよい。間接光ユニット３０の個数を減らすことで、製造コストを抑制することができる。
【００３８】
また、図１３（ｂ）の模式上面図に示すように、照明器具が５個の間接光ユニットを備えてもよい。５個の間接光ユニットは、正五角形状に配置すればよい。間接光ユニットの個数を増やすことで、隣り合う間接光ユニットの間の距離を小さくすることができる。その結果、間接光ユニットで天井を照射したときの、天井面の照度むらを抑制することができる。
【００３９】
照明器具が備える間接光ユニットの配置の形状は、正多角形状に限らず、長方形、菱形、平行四辺形、星型多角形等のその他の多角形状であってもよい。
３．ＬＥＤの種類
上記実施の形態等では、ＬＥＤは白色ＬＥＤを用いた。しかしながら、これに限らず、ＬＥＤは電球色ＬＥＤ、青色ＬＥＤ、橙色ＬＥＤなどであってもよい。これらのＬＥＤを用いることで、照明器具の発光色を変化させることができる。
【００４０】
４．その他
以上、本発明に係る照明器具の構成を、実施の形態および変形例に基づいて説明したが、本発明は上記実施の形態およびその変形例に限られない。例えば、上記実施の形態およびその変形例の部分的な構成を、適宜組み合わせた構成であってもよい。また、上記実施の形態に記載した材料、数値等は好ましいものを例示しているだけであり、それに限定されることはない。さらに、本発明の技術的思想の範囲を逸脱しない範囲で、構成に適宜変更を加えることは可能である。
【００４１】
（間接光ユニット）
上記実施の形態等では、発光素子としてＬＥＤを挙げて説明した。しかしながら、発光素子はＬＥＤに限らず、例えば、ＬＤ（レーザダイオード）や、ＥＬ素子（エレクトリックルミネッセンス素子）であってもよい。
上記実施の形態等では、実装基板の形状を長方形状とした。しかしながら、これに限らず、例えば、楕円状等のその他の長尺状であればよい。
【００４２】
上記実施の形態等では、拡散カバーがレンズ状に形成されることで、発光素子からの出射光の出射角を拡げていた。しかしながら、これに限らず、拡散カバーは、光拡散性を有していればよい。例えば、拡散カバーの内面に、カバー５０の内面と同様に、光源からの出射光を拡散させる拡散処理、例えば、シリカや白色顔料等による拡散処理を施せばよい。また、発光素子をＬＥＤチップと拡散性を有する封止部とで構成し、発光素子を覆うように透光性のカバーを設けてもよい。
【００４３】
（照明器具）
上記実施の形態等では、照明器具としてシーリングライトを用いた。しかしながら、これに限らず、本発明は、例えば、ダウンライト等のシーリングライト以外の建築物用照明器具や、バックライト等の建築物用照明器具以外の照明器具にも利用可能である。
上記実施の形態等では、照明器具を天井に取り付けて使用したが、これに限らず、例えば、壁等のその他の造営材に取り付けて使用してもよい。
【００４４】
上記実施の形態等では、照明器具の形状は、全体として円盤状であったが、これに限らず、楕円盤状や直方体状などその他の形状であってもよい。
【符号の説明】
【００４５】
１                            照明器具
５                            基台
７                            点灯回路ケース
１０                          主光源ユニット
２０                          センター光源ユニット
３０                          間接光ユニット
３１                          放熱板
３２                          実装基板
３２ａ１                      中央の領域
３２ａ２、３２ａ３            両側の領域
３２ｂ                        固定箇所
３３                          発光素子（ＬＥＤ）
３３ａ１                      第１光源
３３ａ２                      第２光源
３５                          透光性カバー（拡散カバー）
３５ａ                        延出端
４０                          点灯回路
７０                          造営材（天井）
２３３ａ１ｇ、２３３ａ２ｇ    輝度重心
ｐ１、ｐ２                    配置ピッチ
【図１】
2015018650.tif 000003
【図２】
2015018650.tif 000004
【図３】
2015018650.tif 000005
【図４】
2015018650.tif 000006
【図５】
2015018650.tif 000007
【図６】
2015018650.tif 000008
【図７】
2015018650.tif 000009
【図８】
2015018650.tif 000010
【図９】
2015018650.tif 000011
【図１０】
2015018650.tif 000012
【図１１】
2015018650.tif 000013
【図１２】
2015018650.tif 000014
【図１３】
2015018650.tif 000015
【図１４】
2015018650.tif 000016